【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
（Ａ）酸素により分断されていてもよい炭化水素基に１分子あたりｘ個（ｘは２〜６の範囲内である）のヒドロキシ基が結合しているオリゴヒドロキシ化合物、又はその２種以上の混合物に、オリゴヒドロキシ化合物（Ａ）１モルあたりｍモル（ｍは２以上であるが１．２×ｘ以下である）の比率でエピクロロヒドリン（Ｂ）を付加させた塩素末端を有する付加物（Ｅ）を、
（Ｃ）塩基型において窒素に結合した反応性水素原子を２以上含むが３級アミノ基は含まない少なくとも１種のアミノ化合物と、さらに必要に応じて
（Ｄ）少なくとも１種の脂肪族２級モノアミン及び／又は１級もしくは２級アミノ基と３級アミノ基とを含む少なくとも１種の脂肪族ジアミンと縮合反応させて得られる、
あるいは、（Ｅ）を脱塩化水素反応させて対応するエポキシド（Ｅx）にし、その（Ｅx）を（Ｃ）と、さらに必要に応じて（Ｄ）と反応させて得られる、
高分子量エーテルアミン（Ｐ）であってプロトン化されていてもよいものの使用であって、繊維材料（Ｔ）に対して少なくとも１種の水溶性染料（Ｆ）を用いて得られた染色物又は印刷物（ＴF）のための後処理剤としての使用。
【請求項２】
該付加物（Ｅ）又はその脱塩化水素誘導体（Ｅx）を（Ｃ）と、さらに必要に応じて（Ｄ）と、（Ｅ）又は（Ｅx）１モルあたり（Ｃ）ｎモル及び（Ｄ）ｐモルの比率で反応させるに際し、ｎが０．４×ｍより大であるがｍより小さく、ｐが０以上であり、かつ、ｎ＋ｐがｍより小さい、請求項１に記載の使用。
【請求項３】
（Ａ）が
（Ａ1）ｘ１個（ｘ１は３〜６の範囲内である）のヒドロキシ基を有する分子量が９２以上のオリゴヒドロキシアルカン、又はその２種以上の混合物、
（Ａ2）炭素原子数２〜６のアルカンジオールもしくはアルキレン部の炭素原子数が２もしくは／及び３であるオリゴアルキレングリコールであるジオール、又はその２種以上の混合物、並びに
（Ａ1）の１種以上と（Ａ2）の１種以上との混合物から選択され、そして
（Ｃ）が
（Ｃ’）（Ｃ1）アンモニア、及び（Ｃ2）少なくとも１種の脂肪族１級モノアミンから選択される、少なくとも１種のモノアミノ化合物、並びに
（Ｃ”）（Ｃ3）２個の２級アミノ基を含むがさらなるアミノ基は含まない少なくとも１種の脂肪族ジアミン、及び（Ｃ4）１個以上の１級アミノ基とさらに１個以上の１級もしくは２級のアミノ基とを含む少なくとも１種の脂肪族オリゴアミンから選択される、少なくとも１種のオリゴアミン、から選択される、請求項１又は２のいずれかに記載の使用。
【請求項４】
（Ｃ）が（Ｃ4）であって、（Ｃ4）は（Ｃ4’）であり、
（Ｃ4’）は下式の少なくとも１種のアミノ化合物
【化１】
2007517143.tif 000001
（Ｒ1は水素又はＣ1-3アルキル、ｙは１〜３、Ｙはｙが２又は３の場合Ｃ2-3アルキレン、ｙが１の場合Ｃ2-6アルキレン）であり、
（Ｄ）が下式の少なくとも１種のアミノ化合物
【化２】
2007517143.tif 000002
（ＺはＣ2-6アルキレン、ｚは０又は１、Ｒ2はＣ1-3アルキル、Ｒ3はＣ1-3アルキル）である、請求項３に記載の使用。
【請求項５】
（Ｐ）が（Ｅ）又は（ＥX）と（Ｃ4’）との反応生成物であり、（Ａ）が下式の化合物
【化３】
2007517143.tif 000003
（Ｘ0は炭素原子数２〜６のｘ価の飽和脂肪族炭化水素基であり、及びｘは２〜６の数値であるが、Ｘ0の炭素原子数以下である）、又はこれら２種もしくはそれ以上の混合物であり、（Ｃ4’）が式（ＩＩＩ）の化合物であって、Ｒ1が水素又はメチル、Ｙがエチレン、プロピレン又はヘキサメチレンであり、又はこれら２種もしくはそれ以上の混合物である、請求項４に記載の使用。
【請求項６】
（Ａ）が、
下式の化合物（Ａ11）
【化４】
2007517143.tif 000004
（ｘ１は３から６の数値）、
下式のアルカンジオール（Ａ21’）
【化５】
2007517143.tif 000005
（Ｘ3’はＣ2-4アルキレン）、
及びこれらの１種又はそれ以上の混合物から選択される、請求項５に記載の使用。
【請求項７】
（Ａ）がグリセリン、ソルビトール、エチレングリコール、プロピレングリコール及びこれら２種又はそれ以上の混合物から選択され、
（Ｃ4’）がエチレンジアミン、ジエチレントリアミン、トリエチレンテトラアミン、ヘキサメチレンジアミン及びこれら２種又はそれ以上の混合物から選択される、請求項６に記載の使用。
【請求項８】
繊維材料（Ｔ）に対して少なくとも１種の水溶性染料（Ｆ）を用いて得られた染色物又は印刷物の後処理物の製造方法であって、請求項１から７のいずれか１つに定義された高分子量エーテルアミン（Ｐ）である後処理剤で該染色物又は印刷物（ＴF）を後処理する方法。
【請求項９】
（Ｐ）が水性組成物（ＷP）の形態で使用される、請求項１から７のいずれかに１つに記載の使用。
【請求項１０】
該繊維基材（Ｔ）が、吸尽法又は浸漬法により（Ｆ）で染色され又は（Ｆ）で印刷されており、そして吸尽法又は浸漬法により（Ｐ）で後処理する、請求項１から７及び９のいずれか１つに記載の使用。
【請求項１１】
吸尽法により（Ｆ）で染色されている、塩基性染料に対して高い親和性を有する基材（Ｔ）を、同様に吸尽法により（Ｐ）で後処理する、請求項１から７及び９から１０のいずれか１つに記載の使用。
【請求項１２】
（Ｐ）以外の定着剤（Ｘ）による染料定着をも行う、請求項１から７及び９から１１のいずれか１つに記載の使用。
【請求項１３】
（Ｘ）がカチオン定着剤（Ｘ’）又はアニオン定着剤（Ｘ”）である、請求項１２に記載の使用。
【請求項１４】
（Ｘ’）を（Ｐ）の前に、（Ｐ）の後に、又は（Ｐ）との混合物で使用する、請求項１３に記載の使用。
【請求項１５】
（ＴF）を（Ｐ）と（Ｘ’）の混合物（ＭPX）で後処理する、請求項１４に記載の使用。
【請求項１６】
（Ｐ）が水性組成物（ＷP）の形態で使用される、請求項８に記載の方法。
【請求項１７】
該繊維基材（Ｔ）が、吸尽法又は浸漬法により（Ｆ）で染色され又は（Ｆ）で印刷されており、そして吸尽法又は浸漬法により（Ｐ）で後処理する、請求項８又は１６のいずれかに記載の方法。
【請求項１８】
吸尽法により（Ｆ）で染色されている、塩基性染料に対して高い親和性を有する基材（Ｔ）を、同様に吸尽法により（Ｐ）で後処理する、請求項８及び１６から１７のいずれか１つに記載の方法。
【請求項１９】
（Ｐ）以外の定着剤（Ｘ）による染料定着をも行う、請求項８及び１６から１８のいずれか１つに記載の方法。
【請求項２０】
（Ｘ）がカチオン定着剤（Ｘ’）又はアニオン定着剤（Ｘ”）である、請求項１９に記載の方法。
【請求項２１】
（Ｘ’）を（Ｐ）の前に、（Ｐ）の後に、又は（Ｐ）との混合物で使用する、請求項２０に記載の方法。
【請求項２２】
（ＴF）を（Ｐ）と（Ｘ’）の混合物（ＭPX）で後処理する、請求項２１に記載の方法。
【請求項２３】
請求項２２に記載の方法に適した、請求項２２に記載の混合物（ＭPX）。
【請求項２４】
請求項２３に記載の混合物（ＭPX）を含む水性組成物（ＷPX）。
【手続補正２】
【補正対象書類名】明細書
【補正対象項目名】００５８
【補正方法】変更
【補正の内容】
【００５８】
［（Ｃ）＋（Ｄ）］、特に［（Ｃ”）＋（Ｄ）］、好ましくは［（Ｃ4）＋（Ｄ）］に存在する１級アミノ基の総数は、［（Ｃ”）＋（Ｄ）］に存在するジアミン（Ｄ）の３級アミノ基の総数の、又は［（Ｃ”）＋（Ｄ）］に存在する２級モノアミン（Ｄ）の２級アミノ基の総数の、好ましくは２倍より大きく、より好ましくは２．５倍より大きい。その結果、ジアミン又は２級モノアミン（Ｄ）のいずれも消費されず、実際のところ生成物には４級アンモニウム基が存在しない。又は、もしジアミン又は２級モノアミン（Ｄ）が消費された場合でも、それらは４級アンモニウム基になりうるが、４級アンモニウム基及び４級以外のアミノ基の総数のうち比較的少ない比率で存在する。例えば存在する４級アンモニウム基と４級以外のアミノ基の総数の３０％以下、例えば２〜３０％であり、好ましくは存在する４級アンモニウム基と４級以外のアミノ基の総数の２５％以下、例えば３〜２５％である。それゆえ、得られる生成物には４級アンモニウム基が存在しないか、又は存在したとしても、存在する４級アンモニウム基と４級以外のアミノ基の総数の好ましくは３０％以下、好ましくは２５％以下である。
【手続補正３】
【補正対象書類名】明細書
【補正対象項目名】００６０
【補正方法】変更
【補正の内容】
【００６０】
（Ｃ）及び必要に応じて（Ｄ）の、（Ｅ）との縮合反応は、好ましくは水系媒体中で行われる。例えば、水系の反応混合物の全質量に対し、水分の含有量が１０〜９０％の範囲内であり、好ましくは２０〜８８％であり、好ましくは加熱してもよく、例えば３０〜９０℃の範囲内であり、好ましくは４０〜７０℃である。反応中、アミン（Ｃ）の塩基性及び存在する場合は（Ｄ）の塩基性のどちらも、アルキル化剤として使用される塩化物（Ｅ）を用いて（Ｃ）及び（Ｄ）のアルキル化が進行するのに十分であればよい。もし必要ならば、例えば水酸化カリウム、又は好ましくは水酸化ナトリウムのような強塩基を使用してもよい。反応混合物のｐＨは、好ましくは７〜１０の範囲内である。（Ｄ）は例えば（Ｃ）と同時に添加してもよく、又は（Ｃ）の後に添加してもよい。もし、反応の際に、それだけでは全ての共有結合した塩素と反応するのに不十分であるような割合で（Ｃ）を使用した場合、必要な量の化合物（Ｄ）を（Ｅ）の反応を完結させるために添加できる。反応が完了したとき又は所望の程度に達したとき、反応混合物は既知の酸を添加して適当に酸性にする。既知の酸は、好ましくは塩酸、硫酸、又はリン酸のような無機酸、又は低分子脂肪族カルボン酸、例えば炭素原子数が１〜６である、ギ酸、酢酸、クエン酸又は乳酸などである。好ましくはｐＨは６未満であり、より好ましくは３．５〜５．５の範囲内であり、もっとも好ましくは４〜４．５である。エポキシド（Ｅx）への脱塩化水素は、適当な量のアルカリ金属水酸化物、好ましくは水酸化ナトリウムを用いて、上と同様の条件で行われる。塩化物イオン滴定により、又は反応混合物の粘度を測定することにより、又はその両方により反応の進行を追跡できる。粘度測定によれば、経験に基づいた感覚で重合及び架橋の度合いを知ることができる。適当な塩化物イオン濃度は、例えば理論値の５０％以上であり、好ましくは６０％より大きく、より好ましくは７０％より大きい。適当な粘度は、例えば５０００ｃＰ以下であり、好ましくは２００から３０００ｃＰである。
【手続補正４】
【補正対象書類名】明細書
【補正対象項目名】００６７
【補正方法】変更
【補正の内容】
【００６７】
前述の、ポリマーであり、状況に応じて架橋しているエーテルアミン（Ｐ）、又は必要に応じて前述の水性組成物の状態であるエーテルアミン（ＷP）は、プロトン化型において多価のカチオン性であり容易に水で希釈することができる。これらはこのように希釈して使用でき、好ましくは高濃度の水性組成物（ＷP）の状態で使用されるが、必要に応じて、染浴に添加する前にあらかじめ適当な原液へとさらに希釈しておくこともできる。この場合、例えば１〜１２質量％の範囲内の濃度になるように希釈する。
【手続補正５】
【補正対象書類名】明細書
【補正対象項目名】００９１
【補正方法】変更
【補正の内容】
【００９１】
この方法によれば、（Ｐ）を用いて後処理をすることにより、塩素（塩素消毒した水中の活性塩素）堅牢性が顕著に改善した染色物及び印刷物が得られる。塩素堅牢性は、例えばＩＳＯ  Ｅ０３に従った標準試験法により評価することができる。一方、染色物又は印刷物の固有の色相及び光沢は実質的に変化しておらず、特に吸尽法により（Ｐ）を用いて処理した場合、繊維材料の風合いもまた最適に保たれている。反応染料で製造した染色物及び印刷物についても、ソーピング及びリンスの後に（Ｐ）を用いて後処理することにより、同様に十分な湿潤堅牢性を示す。同様に、塩基性染料又はカチオン染料、又は硫化染料、建染染料などで製造した染色物及び印刷物もまた、（Ｐ）を用いて後処理することにより、十分な湿潤堅牢性を示す。